(57)【要約】【課題】  不使用時に襟元保持部をコンパクトに収納することができる衣服用ハンガーを提供する。【解決手段】  フック４と、フック４に支持されたハンガー本体６と、を備えている。ハンガー本体６は、フック４から左右斜め下方に延びる肩部８と、肩部８の前面に回動自在に取り付けられた襟元保持部１２と、を有している。襟元保持部１２は、肩部８に重ね合わされて折り畳まれる収納位置と、肩部８より前方に延びる使用位置との間を回動自在に構成されている。肩部８の前面には、襟元保持部１２の形状に対応した形状を有する収納凹部１４が設けられ、襟元保持部１２が収納位置に位置付けられると、襟元保持部１２は収納凹部１４に収納される。【選択図】  図２
0003147711.tif 000002
【実用新案登録請求の範囲】
【請求項１】
フックと、前記フックに支持されたハンガー本体と、を備えた衣服用ハンガーにおいて、
前記ハンガー本体は、前記フックから左右斜め下方に延びる肩部と、前記肩部の前面に回動自在に取り付けられた襟元保持部と、を有し、前記襟元保持部は、前記肩部に重ね合わされて折り畳まれる収納位置と、前記肩部より前方に延びる使用位置との間を回動自在に構成され、前記肩部の前面には、前記襟元保持部の形状に対応した形状を有する収納凹部が設けられ、前記襟元保持部が前記収納位置に位置付けられると、前記襟元保持部は前記収納凹部に収納されることを特徴とする衣服用ハンガー。
【請求項２】
前記ハンガー本体には、前記襟元保持部の前記使用位置を超える回動を規制するためのストッパ機構が設けられていることを特徴とする請求項１に記載の衣服用ハンガー。
【請求項３】
前記ハンガー本体は、前記肩部の両端部間に架設された架設部を更に有し、前記架設部には係止凹部が設けられ、また、衣服を吊り下げるためのクリップ部材が更に設けられ、前記クリップ部材は、係止部と、衣服を挟持するためのクリップ部と、前記係止部と前記クリップ部とを相互に接続する接続部と、を有し、前記架設部の前記係止凹部には、前記クリップ部材の前記係止部が着脱自在に係止されることを特徴とする請求項１又は２に記載の衣服用ハンガー。
【請求項４】
前記ハンガー本体は、前記肩部の前面に回動自在に取り付けられた第１襟元保持部と、前記肩部の後面に回動自在に取り付けられた第２襟元保持部と、を有し、前記肩部の前面には、前記第１襟元保持部の形状に対応した形状を有する第１収納凹部が設けられ、また前記肩部の後面には、前記第２襟元保持部の形状に対応した形状を有する第２収納凹部が設けられており、前記第１及び第２襟元保持部の一方の大きさは、それらの他方の大きさよりも大きく構成されていることを特徴とする請求項１〜３のいずれかに記載の衣服用ハンガー。
【考案の詳細な説明】
【技術分野】
【０００１】
本考案は、衣服を掛けるための衣服用ハンガーに関する。
【背景技術】
【０００２】
例えばワイシャツやブラウスなどの衣服を洗濯した後には、衣服用ハンガーに衣服を掛けて干すことにより衣服を乾燥させる。衣服用ハンガーに衣服を掛けて干すと、衣服の前身頃と後身頃とが重なり合うようになり、その重なり合った部分が乾燥しにくくなって衣服を完全に乾燥させるのに長時間を要するという問題があった。
【０００３】
このような問題を解消するために、衣服の襟元を保持するための襟元保持部を備えた衣服用ハンガーが提案されている（例えば、特許文献１参照）。この衣服用ハンガーは、フックと、フックに支持されたハンガー本体と、を備えている。ハンガー本体は、フックから左右斜め下方に延びる肩部と、肩部に回動自在に取り付けられた略Ｖ字状の襟元保持部と、を有している。
【０００４】
ハンガー本体の肩部に衣服を掛けて、襟元保持部を所定方向に回動させてその先端部を肩部から前方に延ばすと、この襟元保持部によって衣服の襟元が保持される。これにより、衣服の首周りが開放されて、衣服の前身頃と後身頃との間に空間が形成され、衣服を短時間で効率良く乾燥させることができる。
【０００５】
【特許文献１】実用新案登録第３１２２８６８号公報
【考案の開示】
【考案が解決しようとする課題】
【０００６】
しかしながら、上述のような従来の衣服用ハンガーでは、次のような問題がある。襟元保持部を使用しないときには、襟元保持部を上記所定方向と反対方向に回動させて肩部に重ね合わせて折り畳む。このように折り畳むと、襟元保持部の先端部が肩部から下方に大きくはみ出すようになり、衣服用ハンガーの保管時などに襟元保持部が邪魔になってしまうという問題がある。
【０００７】
本考案の目的は、不使用時に襟元保持部をコンパクトに収納することができる衣服用ハンガーを提供することである。
【課題を解決するための手段】
【０００８】
本考案の請求項１に記載の衣服用ハンガーでは、フックと、前記フックに支持されたハンガー本体と、を備えた衣服用ハンガーにおいて、
前記ハンガー本体は、前記フックから左右斜め下方に延びる肩部と、前記肩部の前面に回動自在に取り付けられた襟元保持部と、を有し、前記襟元保持部は、前記肩部に重ね合わされて折り畳まれる収納位置と、前記肩部より前方に延びる使用位置との間を回動自在に構成され、前記肩部の前面には、前記襟元保持部の形状に対応した形状を有する収納凹部が設けられ、前記襟元保持部が前記収納位置に位置付けられると、前記襟元保持部は前記収納凹部に収納されることを特徴とする。
【０００９】
また、本考案の請求項２に記載の衣服用ハンガーでは、前記ハンガー本体には、前記襟元保持部の前記使用位置を超える回動を規制するためのストッパ機構が設けられていることを特徴とする。
【００１０】
また、本考案の請求項３に記載の衣服用ハンガーでは、前記ハンガー本体は、前記肩部の両端部間に架設された架設部を更に有し、前記架設部には係止凹部が設けられ、また、衣服を吊り下げるためのクリップ部材が更に設けられ、前記クリップ部材は、係止部と、衣服を挟持するためのクリップ部と、前記係止部と前記クリップ部とを相互に接続する接続部と、を有し、前記架設部の前記係止凹部には、前記クリップ部材の前記係止部が着脱自在に係止されることを特徴とする。
【００１１】
また、本考案の請求項４に記載の衣服用ハンガーでは、前記ハンガー本体は、前記肩部の前面に回動自在に取り付けられた第１襟元保持部と、前記肩部の後面に回動自在に取り付けられた第２襟元保持部と、を有し、前記肩部の前面には、前記第１襟元保持部の形状に対応した形状を有する第１収納凹部が設けられ、また前記肩部の後面には、前記第２襟元保持部の形状に対応した形状を有する第２収納凹部が設けられており、前記第１及び第２襟元保持部の一方の大きさは、それらの他方の大きさよりも大きく構成されていることを特徴とする。
【考案の効果】
【００１２】
本考案の請求項１に記載の衣服用ハンガーによれば、襟元保持部が収納位置に位置付けられると、襟元保持部が収納凹部に収納されるので、襟元保持部をコンパクトに収納することができ、衣服用ハンガーの保管時などに襟元保持部が邪魔になることがない。
【００１３】
また、本考案の請求項２に記載の衣服用ハンガーによれば、ストッパ機構によって、襟元保持部を使用位置に位置決め保持することができる。
また、本考案の請求項３に記載の衣服用ハンガーによれば、肩部に例えばワイシャツやブラウスなどの上衣を掛けるとともに、クリップ部に例えばズボンやスカートなどの下衣を挟持させると、上衣の下方から下衣が垂れ下がるようになる。例えば洋服店の店頭などにおいて、このように上衣及び下衣を展示することにより、購買者は実際に上衣及び下衣を着用した状態を容易にイメージすることができ、上衣及び下衣のコーディネートを容易に行うことができる。また、クリップ部材の係止部は架設部の係止凹部に係止されるので、クリップ部材を架設部に位置決め固定することができ、これにより例えば衣服用ハンガーを持ち運ぶなどした際に、係止部が架設部の表面を滑るのを防止することができる。
【００１４】
また、本考案の請求項４に記載の衣服用ハンガーによれば、第２（第１）襟元保持部の大きさが第１（第２）襟元保持部の大きさよりも大きく構成されている場合において、例えばワイシャツなどのように、ハンガー本体に掛ける衣服の襟元の大きさが小さいときには、第１（第２）襟元保持部を収納位置から使用位置に回動させ、この第１（第２）襟元保持部によって衣服の襟元を保持させればよい。また、例えばドレスなどのように、ハンガー本体に掛ける衣服の襟元の大きさが大きいときには、第２（第１）襟元保持部を収納位置から使用位置に回動させ、この第２（第１）襟元保持部によって衣服の襟元を保持させればよい。従って、１つの衣服用ハンガーで襟元の大きい衣服及び襟元の小さい衣服に対応することができる。
【考案を実施するための最良の形態】
【００１５】
以下、添付図面を参照して、本考案に従う衣服用ハンガーの一実施形態について説明する。図１は、本考案の一実施形態による衣服用ハンガーを示す斜視図であり、図２は、図１の襟元保持部が使用位置に位置付けられた状態を示す斜視図であり、図３は、図２中のＡ−Ａ線によるストッパ機構及びその周辺の構成の拡大断面図であり、図４は、図１の衣服用ハンガーの使用方法を示す斜視図であり、図５は、図１のハンガー本体にクリップ部材を取り付けた状態を示す斜視図であり、図６は、図５のクリップ部材に衣服を吊り下げた状態を示す図である。
【００１６】
図１及び図２において、図示の衣服用ハンガー２は、フック４と、フック４に支持されたハンガー本体６と、を備えている。以下、衣服用ハンガー２の構成について詳細に説明する。
【００１７】
ハンガー本体６は、フック４より左右斜め下方に略逆Ｖ字状に延びる肩部８と、肩部８の両端部間に架設された架設部１０と、肩部８の前面に回動自在に取り付けられた略Ｖ字状の襟元保持部１２と、を有している。
【００１８】
肩部８の前面には収納凹部１４が設けられている。この収納凹部１４は、襟元保持部１２の形状に対応した形状（即ち、略逆Ｖ字状）を有しており、その両端部にはそれぞれ軸受凹部１６（図１参照）が設けられている。また、収納凹部１４の両端部にはそれぞれ、その延設方向外側に延びる移動用凹部１７が設けられている。肩部８の前面における頂部には、収納凹部１４に連通された切欠き部２２が設けられ、この切欠き部２２には襟元保持部１２の先端部が露出されている。
【００１９】
架設部１０の上面には、その長手方向に間隔を置いて複数の係止凹部１８が設けられている。この係止凹部１８には、後述するクリップ部材２０が着脱自在に取り付けられる。
【００２０】
襟元保持部１２の両端部にはそれぞれ回動軸部２４（図１及び図３参照）が設けられており、この回動軸部２４は収納凹部１４の軸受凹部１６に回動自在に支持されている。また、襟元保持部１２の両端部にはそれぞれ、その延設方向外側に突出した突部２６（ストッパ機構を構成する）が設けられ、この突部２６は移動用凹部１７に移動自在に収容されている。
【００２１】
この襟元保持部１２は、肩部８に重ね合わされて折り畳まれる収納位置（図１参照）と、肩部８より前方に延びる使用位置（図２参照）との間を回動自在に構成されている。襟元保持部１２が収納位置に位置付けられると、襟元保持部１２のほぼ全体が収納凹部１４に収納される。また、襟元保持部１２が使用位置に位置付けられると、襟元保持部１２は肩部８に対して実質上垂直に延びるようになる。
【００２２】
襟元保持部１２を使用するときには、切欠き部２２を通して襟元保持部１２の先端部に指などを引っ掛けて、襟元保持部１２を収納凹部１４から手前に引き出すことにより、襟元保持部１２は回動軸部２４を中心として図２中の矢印Ｐで示す方向に回動される。突部２６が収納凹部１４の内面に当接されると（図３参照）、襟元保持部１２が使用位置に位置付けられるとともに、襟元保持部１２の使用位置を超える回動が規制される。
【００２３】
また、襟元保持部１２を使用しないときには、襟元保持部１２を図２中の矢印Ｑで示す方向に回動させることにより、襟元保持部１２を収納凹部１４に位置付ければよい。
次に、図４をも参照して、本実施形態の衣服用ハンガー２の使用方法について説明する。例えばワイシャツやブラウスなどの衣服２８を干して乾燥させる際には、フック４を物干し竿（図示せず）などに引っ掛けてハンガー本体６を吊り下げ、衣服２８をハンガー本体６の肩部８に掛ける。そして、上述のように襟元保持部１２を収納位置から使用位置に回動させると、襟元保持部１２によって衣服２８の襟元３０が保持され、衣服２８の首周りが開放される。これにより、衣服２８の前身頃と後身頃との間に空間が形成されようになり、衣服２８を短時間で効率良く乾燥させることができる。
【００２４】
衣服用ハンガー２の使用後は、襟元保持部１２を使用位置から収納位置に回動させればよい。上述のように、襟元保持部１２のほぼ全体は収納凹部１４に収納されるので、襟元保持部１２をコンパクトに収納することができ、衣服用ハンガー２の保管時などに襟元保持部１２が邪魔になることがない。
【００２５】
更に、本実施形態の衣服用ハンガー２では、図５に示すように、ハンガー本体６の架設部１０にクリップ部材２０を着脱自在に取り付けることにより、次のような使用方法も可能である。このクリップ部材２０は、フック状の係止部３２と、例えばズボンやスカートなどの衣服３４を挟持するためのクリップ部３６と、係止部３２とクリップ部３６とを相互に接続する紐状（又は棒状）の接続部３８と、を有している。係止部３２を架設部１０の係止凹部１８に着脱自在に係止させることにより、クリップ部材２０が架設部１０に取り付けられる。
【００２６】
例えば、図６に示すように、架設部１０に２個のクリップ部材２０を取り付け、肩部８にジャケット４０を掛けるとともに、クリップ部３６にスカート３４を挟持させると、ジャケット４０の下方からスカート３４が垂れ下がるようになる。例えば洋服店の店頭などにおいて、このようにジャケット４０及びスカート３４を展示することにより、購買者は実際にジャケット４０及びスカート３４を着用した状態を容易にイメージすることができ、ジャケット４０及びスカート３４のコーディネートを容易に行うことができる。
【００２７】
また、クリップ部材２０の係止部３２は架設部１０の係止凹部１８に係止されているので、クリップ部材２０を架設部１０に位置決め保持することができる。これにより、例えば衣服用ハンガー２を持ち運ぶなどした際に、係止部３２が架設部１０の表面を滑るのを防止することができ、２個のクリップ部材２０の離間距離を保持することができる。
【００２８】
なお、クリップ部材２０に吊り下げるスカート３４の幅が広い場合には、複数の係止凹部１８のうち外側の係止凹部１８にそれぞれクリップ部材２０を取り付ければよく、また、スカート３４の幅が狭い場合には、複数の係止凹部１８のうち内側の係止凹部１８にそれぞれクリップ部材２０を取り付ければよい。
【００２９】
また、接続部３８の長いタイプのクリップ部材２０と接続部３８の短いタイプのクリップ部材２０とを用意しておき、ハンガー本体６に掛けるジャケット４０の大きさなどに応じて、これらを使い分けるようにしてもよい。
【００３０】
次に、図７を参照して、本考案に従う衣服用ハンガーの他の実施形態について説明する。図７は、本考案の他の実施形態による衣服用ハンガーを示す斜視図である。なお、本実施形態において、上記実施形態の構成要素と実質上同一の構成要素には同一の符号を付してその説明を省略する。
【００３１】
本実施形態による衣服用ハンガー２Ａでは、ハンガー本体６Ａは、肩部８Ａの前面に回動自在に取り付けられた略Ｖ字状の第１襟元保持部４２と、肩部８Ａの後面に回動自在に取り付けられた略Ｖ字状の第２襟元保持部４４と、を有している。肩部８Ａの前面には、第１襟元保持部４２の形状に対応した形状を有する第１収納凹部４６が設けられ、また肩部８Ａの後面には、第２襟元保持部４４の形状に対応した形状を有する第２収納凹部４８が設けられている。
【００３２】
本実施形態では、第２襟元保持部４４の大きさは、第１襟元保持部４２の大きさよりも大きく構成されている。即ち、第１襟元保持部４２は、肩部８Ａの片側の長手方向中央部近傍からその他側の長手方向中央部近傍まで延びており、また第２襟元保持部４４は、肩部８Ａの片側の下端部近傍からその他側の下端部近傍まで延びている。なお、これとは反対に、第１襟元保持部４２の大きさを第２襟元保持部４４の大きさよりも大きく構成してもよい。
【００３３】
肩部８Ａの前面における頂部には、第１収納凹部４６に連通された第１切欠き部５０が設けられ、また、肩部８Ａの後面における頂部には、第２収納凹部４８に連通された第２切欠き部５２が設けられている。これら第１及び第２切欠き部５０，５２にはそれぞれ、第１及び第２襟元保持部４２，４４の各先端部が露出されている。
【００３４】
本実施形態の衣服用ハンガー２Ａの使用方法について説明する。例えばワイシャツなどのように、ハンガー本体６Ａに掛ける衣服（図示せず）の襟元の大きさが小さいときには、第１襟元保持部４２を収納位置から使用位置に回動させ、この第１襟元保持部４２によって衣服の襟元を保持させればよい。また、例えばドレスなどのように、ハンガー本体６Ａに掛ける衣服の襟元の大きさが大きいときには、第２襟元保持部４４を収納位置から使用位置に回動させ、この第２襟元保持部４４によって衣服の襟元を保持させればよい。従って、１つの衣服用ハンガー２Ａで襟元の大きい衣服及び襟元の小さい衣服に対応することができる。
【００３５】
以上、本考案に従う衣服用ハンガーの各種実施形態について説明したが、本考案はかかる実施形態に限定されるものではなく、本考案の範囲を逸脱することなく種々の変形乃至修正が可能である。
【図面の簡単な説明】
【００３６】
【図１】本考案の一実施形態による衣服用ハンガーを示す斜視図である。
【図２】図１の襟元保持部が使用位置に位置付けられた状態を示す斜視図である。
【図３】図２中のＡ−Ａ線によるストッパ機構及びその周辺の構成の拡大断面図である。
【図４】図１の衣服用ハンガーの使用方法を示す斜視図である。
【図５】図１のハンガー本体にクリップ部材を取り付けた状態を示す斜視図である。
【図６】図５のクリップ部材に衣服を吊り下げた状態を示す図である。
【図７】本考案の他の実施形態による衣服用ハンガーを示す斜視図である。
【符号の説明】
【００３７】
２，２Ａ  衣服用ハンガー
４  フック
６，６Ａ  ハンガー本体
８，８Ａ  肩部
１０  架設部
１２  襟元保持部
１４  収納凹部
２０  クリップ部材
２６  突部（ストッパ機構）
２８  衣服
３２  係止部
３６  クリップ部
３８  接続部
４２  第１襟元保持部
４４  第２襟元保持部
４６  第１収納凹部
４８  第２収納凹部
【図１】
0003147711.tif 000003
【図２】
0003147711.tif 000004
【図３】
0003147711.tif 000005
【図４】
0003147711.tif 000006
【図５】
0003147711.tif 000007
【図６】
0003147711.tif 000008
【図７】
0003147711.tif 000009